(57)【特許請求の範囲】
【請求項１】
筐体と、
上記筐体に収容され、金属部材を周囲に有した表示装置と、
上記筐体に収容されたカメラモジュールと、
上記筐体内に設けられた導電体と、を具備し、
上記筐体は、上記表示装置の表示画面を該筐体の外部に露出させる開口部が設けられた前壁部と、上記表示装置に対して上記前壁部とは反対側に位置する背壁部とを含み、上記前壁部には、上記カメラモジュールの少なくとも一部を該筐体の外部に露出させる撮影窓が設けられ、
上記導電体は、上記撮影窓と離間されるとともに該撮影窓の周辺に取り付けられ、上記金属部材に接することを特徴とする電子機器。
【請求項２】
請求項１に記載の電子機器において、
上記導電体は、上記筐体の前壁部に取り付けられたことを特徴とする電子機器。
【請求項３】
請求項１または請求項２に記載の電子機器において、
上記導電体は、シート状に形成され、上記筐体の前壁部に沿わせて取り付けられたことを特徴とする電子機器。
【請求項４】
請求項１または請求項３に記載の電子機器において、
上記導電体は、上記表示装置を外れるとともに上記撮影窓の周辺に位置する第１の部分と、上記筐体の前壁部と上記表示装置の金属部材との間に挟まれる第２の部分とを有することを特徴とする電子機器。
【請求項５】
請求項１または請求項４に記載の電子機器において、
グランドを備えた電子機器本体と、
上記筐体と上記電子機器本体との間に設けられたヒンジ機構と、を備え、
上記ヒンジ機構は、金属製であり、上記電子機器本体のグランドに電気的に連絡し、上記表示装置の金属部材は、上記ヒンジ機構に電気的に連絡し、上記ヒンジ機構を介して上記グランドに電気的に連絡することを特徴とする電子機器。
【請求項６】
請求項５に記載の電子機器において、
上記ヒンジ機構は、上記表示装置の金属部材に沿うようにして上記筐体内に延びる板金部材を備え、この板金部材は、上記表示装置に固定されて上記金属部材に接する固定部を備えることを特徴とする電子機器。
【請求項７】
請求項１または請求項６に記載の電子機器において、
上記筐体は、上記前壁部を含むマスク部材と、上記背壁部を含むカバー部材とを有し、上記マスク部材を上記カバー部材に固定して、上記導電体を上記金属部材に向けて押し付ける係合機構が設けられていることを特徴とする電子機器。
【請求項８】
請求項７に記載の電子機器において、
上記係合機構は、上記カバー部材に設けられた第１のフック部と、上記マスク部材に設けられ、上記第１のフック部に係合する第２のフック部とを有することを特徴とする電子機器。
【請求項９】
請求項７に記載の電子機器において、
上記係合機構は、上記カバー部材および上記マスク部材のいずれか一方に設けられたねじ穴と、上記カバー部材および上記マスク部材のいずれか他方に取り付けられ、上記ねじ穴に螺合するねじとを有することを特徴とする電子機器。
【発明の詳細な説明】
【技術分野】
【０００１】
本発明は、カメラモジュールを搭載した電子機器に関する。
【背景技術】
【０００２】
ポータブルコンピュータのような電子機器は、カメラモジュールを搭載することがある。カメラモジュールを収容した筐体は、カメラモジュールを外部に露出させる撮影窓を備える。この撮影窓には、透明や半透明の化粧部材が取り付けられる。
【０００３】
特許文献１には、収容ケースに撮影窓が設けられたテレビジョン装置が開示されている。このテレビジョン装置では、カメラレンズを搭載した基板が収容ケースに収容されている。撮影窓には、前面ガラスが嵌め込まれている。上記基板の表面には伝導性のよい板が密着されている。
【特許文献１】実開平５−２４８２号公報
【発明の開示】
【発明が解決しようとする課題】
【０００４】
ところで、ポータブルコンピュータのような電子機器は、製造性の向上や低コスト化の観点から、なるべく余計な部品をつけずに、簡単な構造にすることが望まれている。そこで本発明者らは、撮影窓に設けられた化粧部材を省略することを考えている。
【０００５】
しかしながら、撮影窓に設けられた化粧部材を省略すると、カメラモジュールが筐体の外部に剥き出しとなる。そのため、筐体の外部からカメラモジュールに向けて静電気が飛び込み、カメラモジュールの回路基板を故障させるおそれがある。
【０００６】
本発明の目的は、静電気によるカメラモジュールの故障の防止を図ることができる電子機器を得ることにある。
【課題を解決するための手段】
【０００７】
一つの形態に係る電子機器は、筐体と、上記筐体に収容され、金属部材を周囲に有した表示装置と、上記筐体に収容されたカメラモジュールと、上記筐体内に設けられた導電体と、を具備する。上記筐体は、上記表示装置の表示画面を該筐体の外部に露出させる開口部が設けられた前壁部と、上記表示装置に対して上記前壁部とは反対側に位置する背壁部とを含む。上記前壁部には、上記カメラモジュールの少なくとも一部を該筐体の外部に露出させる撮影窓が設けられている。上記導電体は、上記撮影窓と離間されるとともに該撮影窓の周辺に取り付けられ、上記金属部材に接する。
【発明の効果】
【０００８】
本発明によれば、静電気によるカメラモジュールの故障の防止を図ることができる。
【発明を実施するための最良の形態】
【０００９】
以下に本発明の実施の形態を、ポータブルコンピュータに適用した図面に基づいて説明する。図１ないし図７は、本発明の第１の実施形態に係る電子機器としてのポータブルコンピュータ１を開示している。図１に示すように、ポータブルコンピュータ１は、表示ユニット２と、電子機器本体である本体ユニット３とを備えている。
【００１０】
図１に示すように、本体ユニット３は、第１の筐体５を有する。第１の筐体５は、矩形をした箱状に形成されている。第１の筐体５は、上壁部５ａ、下壁部５ｂ、および周壁部５ｃを有する。上壁部５ａは、キーボード６を支持している。第１の筐体５の内部には、図示しないメインボードが収容されている。図７に示すように、本体ユニット３の内部には、グランド７が設けられている。
【００１１】
図１に示すように、表示ユニット２は、本体ユニット３の後端部に一対のヒンジ部９ａ，９ｂを介して支持されている。そのため、表示ユニット２は、本体ユニット３の上壁部５ａを上方から覆うように倒される閉じ位置と、上壁部５ａを露出させるように起立する開き位置との間で回動可能である。
【００１２】
図２に示すように、表示ユニット２は、第２の筐体１１（以下、筐体１１と略）、表示装置１２、およびカメラモジュール１３を備える。筐体１１は、矩形をした薄型の箱状に形成されており、内部に収容空間Ｓを有する（図４参照）。
【００１３】
表示装置１２は、筐体１１に収容されるとともに、表示画面１４を有する。表示装置１２の具体例としては、例えば液晶ディスプレイ（Liquid Crystal Display ; LCD）や有機エレクトリックルミネセンスディスプレイ（有機ＥＬディスプレイ）などが挙げられる。なお本発明でいう表示装置は、上記例に限定されるものではない。
【００１４】
図１に示すように、筐体１１は、前壁部１１ａ、背壁部１１ｂ、および周壁部１１ｃを備える。前壁部１１ａは、使用時にユーザーに向かい合うとともに、表示装置１２の表示画面１４を筐体１１の外部に露出させる開口部１５が設けられている。図２に示すように、開口部１５の外形は、表示装置１２の外形に比べて一回り小さい。
【００１５】
図４に示すように、背壁部１１ｂは、前壁部１１ａとの間に収容空間Ｓを形成するとともに、表示装置１２に対して前壁部１１ａとは反対側に位置している。周壁部１１ｃは、前壁部１１ａの周縁部と背壁部１１ｂの周縁部との間を繋いでいる。
【００１６】
図１および図４に示すように、筐体１１は、周壁部１１ｃの一部と前壁部１１ａとを含むマスク部材１７と、周壁部１１ｃの一部と背壁部１１ｂとを含むカバー部材１８とを有する。筐体１１は、このマスク部材１７とカバー部材１８とが互いに組み合わされることで形成されている。
【００１７】
本実施形態に係るマスク部材１７およびカバー部材１８は、例えば合成樹脂製である。図４に示すように、カバー部材１８の内表面１８ａには、例えば導電層１９が設けられている。この導電層１９は、例えば導電性塗料や導電メッキを施すことによって形成されている。これにより、カバー部材１８は、導電性を有する導電性筐体の一例となっている。なお導電性筐体としてのカバー部材は上記例に限らず、例えばカバー部材自体を金属材料で形成したものでもよい。
【００１８】
図２および図４に示すように、表示装置１２は、矩形をした板状に形成され、前面部１２ａ、背面部１２ｂ、および四つの側面部１２ｃを有する。表示画面１４は、前面部１２ａに設けられている。背面部１２ｂは、筐体１１の背壁部１１ｂに対向している。側面部１２ｃは、筐体１１の周壁部１１ｃに対向している。
【００１９】
図２および図４に示すように、表示装置１２は、表示画面１４の周囲に設けられた金属製のベゼル部２１（以下、金属ベゼル２１）を備える。金属ベゼル２１は、表示画面１４の周囲を取り囲む縁部であって、図２中にハッチングを施して示すように、例えば表示装置１２の全周に設けられている。図４に示すように、金属ベゼル２１は、例えば表示装置１２の前面部１２ａの周縁部に沿う第１の部分２１ａと、側面部１２ｃに沿う第２の部分２１ｂとを有するＬ字形に形成されている。なお金属ベゼル２１の形状は、上記例に限られるものではない。
【００２０】
図４に示すように、カメラモジュール１３は、筐体１１に収容されている。カメラモジュール１３は、カメラ本体２３と、回路基板２４とを備える。カメラ本体２３は、ケースと、このケースに収容された光学レンズや撮像素子などを含む。回路基板２４は、カメラ本体２３が実装され、カメラ本体２３との間で信号のやり取りを行う。
【００２１】
カメラモジュール１３は、背壁部１１ｂに取り付けられている。詳しく述べると、カメラモジュール１３の回路基板２４が図示しない固定機構により背壁部１１ｂの内表面１８ａに固定されている。カメラ本体２３は、回路基板２４と前壁部１１ａとの間に位置している。図３および図４に示すように、前壁部１１ａには、カメラ本体２３を筐体１１の外部に露出させる撮影窓２６（すなわちカメラ用の開口部）が設けられている。撮影窓２６には、化粧部材が設けられていない。カメラモジュール１３は、撮影窓２６を通じて筐体１１の外部に剥き出しになっている。
【００２２】
図３および図４に示すように、筐体１１内には、導電体３１が設けられている。導電体３１は、例えば金属体である。導電体３１は、より具体的には、アルミニウム製のテープ部材（以下、アルミテープ）や、金具などの板金部材があげられる。この板金部材の一例は、例えば僅かに曲げられた平板である。なお本発明でいう導電体は、上記例に限られるものではなく、電気を通し、静電気を引き込むことができる部材であればその種類を問わない。
【００２３】
図３および図４に示すように、導電体３１は、撮影窓２６の周辺に取り付けられている。詳しくは、導電体３１は、図３中にハッチングを施して示すように、矩形をしたシート状に形成されている。図４に示すように、導電体３１は、筐体１１の前壁部１１ａの内表面１７ａに沿わせるようにして、例えば両面テープなどによって前壁部１１ａに取り付けられている。導電体３１は、例えば両面テープによる接着面積を十分確保できるように、撮影窓２６の大きさに比べて比較的大きく形成されている。
【００２４】
図３および図４に示すように、導電体３１は、第１の部分３１ａと、第２の部分３１ｂとを有する。第１の部分３１ａは、表示装置１２を外れるとともに、撮影窓２６の周辺に位置する。第１の部分３１ａは、撮影窓２６に対向する領域に、撮影窓２６の外形よりも一回り大きな開口部３２を有する。すなわち導電体３１は、撮影窓２６とカメラモジュール１３との間には設けられていない。さらに導電体３１は、カメラモジュール１３の動作状態を表示する表示ランプ３５を露出させる開口部３６を有する（図３参照）。
【００２５】
図５に示すように、導電体３１は、撮影窓２６とカメラモジュール１３の回路基板２４との間の距離よりも小さな距離を撮影窓２６との間に空ける。なお「導電体３１が、撮影窓２６とカメラモジュール１３の回路基板２４との間の距離よりも小さな距離を撮影窓２６との間に空ける」とは、例えば撮影窓２６の開口縁２６ａと導電体３１の開口部３２の縁との間の距離Ｌ１が、撮影窓２６と回路基板２４との間の距離Ｌ２よりも小さいことをいう。
【００２６】
図５中の一点鎖線Ｃは、撮影窓２６の中心を通る仮想線である。本実施形態に係る表示ユニット２では、例えば撮影窓２６の中心と導電体３１の開口部３２の縁との間の距離Ｌ３が、撮影窓２６と回路基板２４との間の距離Ｌ２よりも小さい。なお導電体３１と撮影窓２６との間の距離は、上記例に限られるものではなく、撮影窓２６を通って筐体１１内に飛び込んだ静電気が導電体３１に引き寄せられる距離であればよい。
【００２７】
図３および図４に示すように、導電体３１の第２の部分３１ｂは、筐体１１の前壁部１１ａと表示装置１２の金属ベゼル２１の第１の部分２１ａとの間に挟まれ、金属ベゼル２１に接している。これにより、導電体３１は、金属ベゼル２１に電気的に連絡している。
【００２８】
一対のヒンジ部９ａ，９ｂは、それぞれ例えば図７に示すようなヒンジ機構４１を備える。図７は、右方のヒンジ部９ａの構造を例示している。ヒンジ機構４１は、表示ユニット２の筐体１１と本体ユニット３の筐体５との間に設けられている。ヒンジ機構４１は、金属製である。ヒンジ機構４１は、ヒンジ軸４２と、このヒンジ軸４２に連結された第１および第２の板金部材４３，４４とを有する。第１および第２の板金部材４３，４４の少なくともいずれか一方は、上記ヒンジ軸４２に回動可能に連結されている。
【００２９】
図７に示すように、第１の板金部材４３は、表示装置１２の側面部１２ｃの金属ベゼル２１に沿うようにして、表示ユニット２の筐体１１内に延びている。第１の板金部材４３は、表示装置１２の一端部から他端部に亘って設けられている。第１の板金部材４３は、表示装置１２が固定される固定部４６を例えば２箇所備える。固定部４６には、ねじ４７が挿通されるねじ挿通孔４８が設けられている。表示装置１２には、このねじ挿通孔４８に対向するねじ穴４９が設けられている。ねじ４７をねじ挿通孔４８に通すとともにねじ穴４９に螺合させることで、表示装置１２が第１の板金部材４３に固定される。
【００３０】
この第１の板金部材４３の固定部４６は、表示装置１２の金属ベゼル２１に接している。これにより、金属ベゼル２１は、第１の板金部材４３に電気的に連絡している。上記固定部４６では、ねじ４７により第１の板金部材４３が金属ベゼル２１に対して比較的強く押さえ付けられている。すなわち、金属ベゼル２１は、第１の板金部材４３との間に高い導通性が確保されている。
【００３１】
詳しくは図示しないが、左のヒンジ部９ｂも上記と同様の構造を有する。すなわち固定部４６は、表示装置１２に対して左右合計４箇所設けられている。また、図７に示すように、第１の板金部材４３は、筐体１１に固定される他の固定部５０を有する。
【００３２】
一方、図７に示すように、第２の板金部材４４は、本体ユニット３の筐体５内を向いて延びるとともに、筐体５に固定されている。第２の板金部材４４は、本体ユニット３のグランド７に電気的に連絡している。これにより、ヒンジ機構４１の全体が本体ユニット３のグランド７に電気的に連絡している。さらに言えば、表示装置１２の金属ベゼル２１は、ヒンジ機構４１を介して本体ユニット３のグランド７に電気的に連絡している。
【００３３】
図３および図６に示すように、筐体１１は、上記マスク部材１７を上記カバー部材１８に固定する係合機構５２が設けられている。図３に示すように、係合機構５２は、例えば導電体３１の左右の両側にそれぞれ設けられている。係合機構５２は、マスク部材１７とカバー部材１８とを固定させることで導電体３１を金属ベゼル２１側に引き込む構造を有しており、導電体３１を金属ベゼル２１に向けて押し付ける。
【００３４】
図６に示すように、係合機構５２の一例は、カバー部材１８に設けられた第１のフック部５３と、マスク部材１７に設けられるとともに第１のフック部５３に係合する第２のフック部５４とを有する。第２のフック部５４を第１のフック部５３に係合させることで、導電体３１は金属ベゼル２１に押し付けられ、導電体３１と金属ベゼル２１との間で高い導通性が確保される。
【００３５】
次に、ポータブルコンピュータ１の作用について説明する。  
上述したように、導電体３１は、撮影窓２６とカメラモジュール１３の回路基板２４との間の距離よりも小さな距離を撮影窓２６との間に空ける。そのため、撮影窓２６から筐体１１内に飛び込む静電気の多くは、導電体３１に引き込まれ、カメラモジュール１３の回路基板２４には到達しない。
【００３６】
ポータブルコンピュータ１においては、導電体３１から、表示装置１２の金属ベゼル２１、およびヒンジ機構４１を介して、本体ユニット３のグランド７まで静電気が流れる経路が確保されている。これにより、導電体３１に引き込まれた静電気は、導電体３１に帯電し続けることなく、本体ユニット３のグランド７へと逃がされる。
【００３７】
このような構成のポータブルコンピュータ１によれば、静電気によるカメラモジュール１３の故障の防止を簡単な構造で図ることができる。すなわち、撮影窓２６とカメラモジュール１３の回路基板２４との間の距離よりも小さな距離を撮影窓２６との間に空けるようにして撮影窓２６の周辺に取り付けられるとともに、表示装置１２の金属ベゼル２１に接する導電体３１を備えると、撮影窓２６から筐体１１内に飛び込む静電気の多くは、カメラモジュール１３の回路基板２４に到達する前に導電体３１に引き寄せられる。これにより、カメラモジュール１３に直接放電されることを防止し、カメラモジュール１３の静電気破壊を抑制することができる。
【００３８】
なお、撮影窓２６の開口縁２６ａと導電体３１の開口部３２の縁との間の距離Ｌ１が、撮影窓２６と回路基板２４との間の距離Ｌ２よりも小さければ、撮影窓２６から筐体１１内に飛び込む静電気の多くを、カメラモジュール１３の回路基板２４に到達する前に導電体３１に引き寄せることができる。これにより、カメラモジュール１３の静電気破壊を抑制することができる。
【００３９】
なお、撮影窓２６の中心と導電体３１の開口部３２の縁との間の距離Ｌ３が、撮影窓２６と回路基板２４との間の距離Ｌ２よりも小さければ、撮影窓２６から筐体１１内に飛び込む静電気のより多くを、カメラモジュール１３の回路基板２４に到達する前に導電体３１に引き寄せることができ、さらに高いレベルでカメラモジュール１３の静電気破壊を抑制することができる。
【００４０】
導電体３１が、表示画面１４の周囲に設けられた金属ベゼル２１に接していると、導電体３１に引き込まれた静電気が金属ベゼル２１を介してすぐに逃がされる。すなわち、表示装置１２の金属ベゼル２１を有効活用して、簡単な構造で静電気対策構造が実現されているといえる。
【００４１】
特に、表示装置１２の前面側の金属ベゼル２１を活用することで、静電気が逃げる経路の長さを比較的短くすることができる。これにより、撮影窓２６から飛び込む静電気を、安定して確実に本体ユニット３のグランド７まで逃がすことができる。
【００４２】
筐体１１内に設けられる導電体３１は、ユーザーの目に触れる化粧部材に比べて簡単で粗い作りにすることができる。そのため、例え静電気対策として導電体３１を設けることになっても、撮影窓２６に設けられる化粧部材を省略することができると、ポータブルコンピュータ１の製造性の向上や低コスト化を図ることができる。
【００４３】
導電体３１を筐体１１の前壁部１１ａに取り付けると、導電体３１を撮影窓２６の近くに配置しやすく、撮影窓２６に飛び込んだ静電気をより確実に引き寄せることができる。また、表示ユニット２の組立時や分解時において導電体３１がマスク部材１７と一体であるので、作業性が良好になる。
【００４４】
導電体３１がシート状に形成されるとともに、筐体１１の前壁部１１ａに沿わせるようにして取り付けられていると、筐体１１内において導電体３１が邪魔になりにくく、他の部品のレイアウトをほとんど妨げない。
【００４５】
導電体３１が、撮影窓２６の周辺に位置する第１の部分３１ａに加えて、筐体１１の前壁部１１ａと表示装置１２の金属ベゼル２１との間に挟まれる第２の部分３１ｂを有すると、より簡単且つより確実に導電体３１と金属ベゼル２１との間の接触を確保することができる。これは、より安定した静電気対策構造の実現に寄与する。
【００４６】
表示装置１２の金属ベゼル２１がヒンジ機構４１を介して本体ユニット３のグランド７に電気的に連絡していると、ヒンジ機構４１を有効活用して、本体ユニット３のグランド７まで静電気を逃がす経路を簡単な構造で実現しているといえる。
【００４７】
ヒンジ機構４１が、表示装置１２の金属ベゼル２１に沿うようにして筐体１１内に延びる板金部材４３を備えるとともに、この板金部材４３が、表示装置１２に固定されて金属ベゼル２１に接する固定部４６を備えると、金属ベゼル２１とヒンジ機構４１との間の電気的な連絡をより強固に確保することができる。これは、より安定した静電気対策構造の実現に寄与する。
【００４８】
マスク部材１７をカバー部材１８に固定して、導電体３１を金属ベゼル２１に向けて押し付ける係合機構５２が設けられていると、導電体３１が金属ベゼル２１から浮き上がることを防止し、導電体３１と金属ベゼル２１との間の接触をより確実に確保することができる。これは、より安定した静電気対策構造の実現に寄与する。
【００４９】
上記係合機構５２が第１および第２のフック部５３，５４によって実現されていると、例えばねじ等を用いる場合に比べて、部品点数を削減できるとともに、ねじを隠すシールなども必要なくなる。つまり、より簡単な構造で係合機構５２を実現することができる。
【００５０】
次に、本発明の第２の実施形態に係る電子機器としてのポータブルコンピュータ１を、図８を参照して説明する。なお上記第１の実施形態の構成と同一または類似の機能を有する構成は、同一の符号を付してその説明を省略する。
【００５１】
係合機構５２は、例えばカバー部材１８に設けられたねじ穴６１と、マスク部材１７に取り付けられるとともに、上記ねじ穴６１に螺合するねじ６２とを有する。詳しくは、マスク部材１７には、ねじ穴６１に対向するねじ挿通孔６３が設けられている。ねじ６２は、筐体１１の外側となる領域からねじ挿通孔６３に挿入されるとともに、ねじ穴６１に螺合する。筐体１１には、例えばゴム製のクッション６４が取り付けられ、ねじ６２が覆い隠されている。
【００５２】
係合機構５２により、マスク部材１７がカバー部材１８に固定される。ねじ６２がねじ穴６１に螺合されると、導電体３１は金属ベゼル２１に押し付けられ、導電体３１と金属ベゼルとの間で高い導通性が確保される。上記説明した以外のポータブルコンピュータ１の構成は上記第１の実施形態と同じである。
【００５３】
このような構成のポータブルコンピュータ１によれば、上記第１の実施形態と同様に、静電気によるカメラモジュール１３の故障の防止を簡単な構造で図ることができる。  
ねじ６２とねじ穴６１とを有する係合機構５２によれば、ねじ６２を締め付けることで、例えばフック構造等に比べて、導電体３１は金属ベゼル２１により強く押し付けることができる。これにより、導電体３１と金属ベゼル２１との間でより高い導通性を確保することができる。
【００５４】
なお、係合機構５２は、例えばマスク部材１７に設けられたねじ穴６１と、カバー部材１８に取り付けられるとともに、上記ねじ穴６１に螺合するねじ６２とを有してもよい。このような係合機構５２によっても、上記と同様の効果を得ることができる。
【００５５】
次に、本発明の第３の実施形態に係る電子機器としてのポータブルコンピュータ１を、図９を参照して説明する。なお上記第１の実施形態の構成と同一または類似の機能を有する構成は、同一の符号を付してその説明を省略する。
【００５６】
表示装置１２は、例えば背面部１２ｂにも部分的に金属ベゼル２１を備える。この金属ベゼル２１とカバー部材１８の導電層１９との間には、金属ベゼル２１と導電層１９との間の導通性を確保する導電性部材７１が設けられている。導電性部材７１は、例えばアースばねや導電性を有するガスケットである。
【００５７】
カバー部材１８の導電層１９は、例えばカバー部材１８と第１の板金部材４３との固定部５０においてヒンジ機構４１に電気的に連絡している。これにより、表示装置１２の金属ベゼル２１は、カバー部材１８の導電層１９およびヒンジ機構４１を介して本体ユニット３のグランド７に電気的に連絡している。上記説明した以外のポータブルコンピュータ１の構成は上記第１の実施形態と同じである。
【００５８】
このような構成のポータブルコンピュータ１によれば、上記第１の実施形態と同様に、静電気によるカメラモジュール１３の故障の防止を簡単な構造で図ることができる。なお導電層１９を有するカバー部材１８に代えて、金属製のカバー部材を用いてもよい。
【００５９】
以上、本発明の第１ないし第３の実施形態に係るポータブルコンピュータ１について説明したが、本発明はこれらに限定されるものではなく、発明の主旨を逸脱しない範囲で種々変形して用いることができる。なお、各実施形態に係る構成は、適宜組み合わせて用いることができる。金属ベゼル２１から本体ユニット３のグランド７まで静電気を逃がす経路は、上記説明したものに限られるものではなく、種々の経路を適宜用いることができる。
【００６０】
以下にいくつかの電子機器を付記する。
【００６１】
[１]、(i)筐体と、(ii)上記筐体に収容されるとともに、表示画面を有する表示装置と、(iii)上記筐体に収容されるとともに、カメラ本体と、このカメラ本体が実装された回路基板とを備えるカメラモジュールと、(iv)上記筐体内に設けられた導電体と、を具備し、上記筐体は、上記表示画面を該筐体の外部に露出させる開口部が設けられた前壁部と、上記表示装置に対して上記前壁部とは反対側に位置する背壁部とを含み、上記前壁部には、上記カメラ本体を該筐体の外部に露出させる撮影窓が設けられており、上記カメラモジュールの回路基板は、上記背壁部に取り付けられており、上記表示装置は、上記表示画面の周囲に設けられた金属ベゼルを備え、上記導電体は、上記撮影窓の周辺に取り付けられ、上記撮影窓と上記カメラモジュールの回路基板との間の距離よりも小さな距離を上記撮影窓との間に空けるとともに、上記表示装置の金属ベゼルに接することを特徴とする電子機器。
【００６２】
[２]、[１]に記載の電子機器において、上記導電体は、上記筐体の前壁部に取り付けられていることを特徴とする電子機器。
【００６３】
[３]、[２]に記載の電子機器において、上記導電体は、シート状に形成されるとともに、上記筐体の前壁部に沿わせるようにして取り付けられていることを特徴とする電子機器。
【００６４】
[４]、[３]に記載の電子機器において、上記導電体は、上記表示装置を外れるとともに上記撮影窓の周辺に位置する第１の部分と、上記筐体の前壁部と上記表示装置の金属ベゼルとの間に挟まれる第２の部分とを有することを特徴とする電子機器。
【００６５】
[５]、[４]に記載の電子機器において、グランドを備えた電子機器本体と、上記筐体と上記電子機器本体との間に設けられたヒンジ機構と、を備え、上記ヒンジ機構は、金属製であるとともに、上記電子機器本体のグランドに電気的に連絡しており、上記表示装置の金属ベゼルは、上記ヒンジ機構に電気的に連絡するとともに、上記ヒンジ機構を介して上記グランドに電気的に連絡していることを特徴とする電子機器。
【００６６】
[６]、[５]に記載の電子機器において、上記ヒンジ機構は、上記表示装置の金属ベゼルに沿うようにして上記筐体内に延びる板金部材を備え、この板金部材は、上記表示装置に固定されて上記金属ベゼルに接する固定部を備えることを特徴とする電子機器。
【００６７】
[７]、[６]に記載の電子機器において、上記筐体は、上記前壁部を含むマスク部材と、上記背壁部を含むカバー部材とを有するとともに、上記マスク部材を上記カバー部材に固定して、上記導電体を上記金属ベゼルに向けて押し付ける係合機構が設けられていることを特徴とする電子機器。
【００６８】
[８]、[７]に記載の電子機器において、上記係合機構は、上記カバー部材に設けられた第１のフック部と、上記マスク部材に設けられるとともに上記第１のフック部に係合する第２のフック部とを有することを特徴とする電子機器。
【００６９】
[９]、[７]に記載の電子機器において、上記係合機構は、上記カバー部材および上記マスク部材のいずれか一方に設けられたねじ穴と、上記カバー部材および上記マスク部材のいずれか他方に取り付けられるとともに、上記ねじ穴に螺合するねじとを有することを特徴とする電子機器。
【図面の簡単な説明】
【００７０】
【図１】本発明の第１の実施形態に係るポータブルコンピュータの斜視図。
【図２】図１中に示されたポータブルコンピュータの正面図。
【図３】図２中に示された表示ユニットのＦ３線で囲まれた領域を拡大して示す正面図。
【図４】図３中に示された表示ユニットのＦ４−Ｆ４線に沿う断面図。
【図５】図４中に示されたカメラモジュール周りを拡大して示す断面図。
【図６】図３中に示された表示ユニットのＦ６−Ｆ６線に沿う断面図。
【図７】図２中に示された表示ユニットの内部を示す正面図。
【図８】本発明の第２の実施形態に係る表示ユニットの断面図。
【図９】本発明の第３の実施形態に係る表示ユニットの断面図。
【符号の説明】
【００７１】
１…ポータブルコンピュータ、２…表示ユニット、３…本体ユニット、７…グランド、１１…筐体、１１ａ…前壁部、１１ｂ…背壁部、１２…表示装置、１３…カメラモジュール、１４…表示画面、１５…開口部、１７…マスク部材、１８…カバー部材、２１…金属ベゼル、２３…カメラ本体、２４…回路基板、２６…撮影窓、３１…導電体、３１ａ…第１の部分、３１ｂ…第２の部分、４１…ヒンジ機構、４３…板金部材、４６…固定部、５２…係合機構、５３…第１のフック部、５４…第２のフック部、６１…ねじ穴、６２…ねじ。
【図１】
0005197822.tif 000002
【図２】
0005197822.tif 000003
【図３】
0005197822.tif 000004
【図４】
0005197822.tif 000005
【図５】
0005197822.tif 000006
【図６】
0005197822.tif 000007
【図７】
0005197822.tif 000008
【図８】
0005197822.tif 000009
【図９】
0005197822.tif 000010